(57)【特許請求の範囲】
【請求項１】
環状のガスケット本体及び前記ガスケット本体に突設される係合片部を有するガスケットと、
箱状の第１筐体と、
前記第１筐体に前記ガスケットを介して組み付けられる箱状或いは蓋状の第２筐体と、
を有し、
前記第１筐体及び第２筐体の合わせ部のうち、一方の筐体の合わせ部に、内部空間を囲むように形成され、前記ガスケット本体が装着される環状の装着溝と、前記装着溝を形成する一対の対向壁とを有し、
前記一対の対向壁のうち、前記装着溝に対して前記一方の筐体の中心側である内側の壁部の一部は、前記内側の壁部の厚み方向で前記内側に凹む凹状壁部であり、
前記凹状壁部には、前記第１筐体及び前記第２筐体の合わせ方向に開口し、且つ、前記厚み方向に貫通し、前記係合片部が嵌合する凹状の嵌合溝部が形成され、
前記ガスケットは、前記係合片部を前記凹状壁部の前記嵌合溝部に内嵌させて、前記ガスケット本体の一部を前記凹状壁部に沿う形状で前記凹状壁部に隣接させつつ、前記装着溝に装着された前記ガスケット本体を位置決めして他方の筐体の合わせ部との間で圧接挟持させた状態で、前記第１筐体及び第２筐体間に介設され、
前記凹状壁部で囲まれる領域には、前記第１筐体及び第２筐体を止着する止着部材が取り付けられる、
医療用電子機器。
【請求項２】
前記係合片部は、前記嵌合溝部に内嵌して、前記ガスケット本体を前記装着溝で支持する嵌合片部を有する、
請求項１記載の医療用電子機器。
【請求項３】
前記係合片部は、
前記嵌合溝部の開口幅よりも大きい頭部と、
前記頭部と前記ガスケット本体との間に介設され、前記嵌合溝部内に配置されるとともに、弾性変形して前記頭部を前記凹状壁部の前記嵌合溝部の開口の裏面に掛止させる弾性片部と、
を有する、
請求項１記載の医療用電子機器。
【請求項４】
前記嵌合片部の先端には、前記凹状壁部の前記嵌合溝部の開口幅よりも少なくとも外形の一部が大きく、前記凹状壁部の裏面に掛止して、前記内部空間内に配置される抜け止め部が形成されている、
請求項２記載の医療用電子機器。
【請求項５】
前記ガスケット本体は円形断面を有する、
請求項１から４のいずれか一項に記載の医療用電子機器。
【発明の詳細な説明】
【技術分野】
【０００１】
本発明は、ガスケットを備える医療用電子機器に関する。
【背景技術】
【０００２】
従来、一般的な防水仕様の電子機器では、防水対象となる密閉箇所、例えば、それぞれ箱状に形成される上下筐体の開口部同士の間に、ガスケット（Oリング）を挟み込むことで筐体内部を防水する構造が知られている（特許文献１参照）。
【０００３】
特許文献１では、ガスケットは、上下筐体とは別体で構成し、上下筐体の開口部間で挟み込むように組み付けられている。この構造では、ガスケットは、上下筐体の開口部同士（つまり、合わせ部）に沿って配置して単に挟み込むようにして取り付けられるので、組立の際に配置箇所（上下筐体のうちの一方の開口部）から脱落しやすい。よって、ガスケットを取り付けて防水する構造を容易に組み立てることができるように様々な技術が知られている。
【０００４】
例えば、特許文献２に示すシリンダヘッドとヘッドカバーとの間をガスケットで防水する構造では、シリンダヘッド及びヘッドカバーの一方において、ガスケットを挟み込む位置とは異なる位置に、ガスケットを挟み込む方向と平行に突出する突起を形成している。そして、シリンダヘッドとヘッドカバー間にガスケット本体を配置した状態で、突起に、ガスケット本体から延びるアーム部の先端を差し込むことでガスケット本体を所定位置に位置させた状態を保持している。これにより、組み立て時においてもガスケットが取り付け箇所から脱落すること無く、シリンダヘッドとヘッドカバーとを容易に密閉している。
【０００５】
ところで、小型化が図られる電子機器の筐体にガスケットを用いて防水する場合、例えば、電池収容部と蓋体との間にガスケットを設ける場合、ガスケット自体の小型化が必要になる。このため、特許文献２に示すガスケットのように、シリンダヘッドとヘッドカバーとの間を防水するといった大きな防水対象となる部位に対応したガスケット形状は適用できない。
【０００６】
これに対して、小型化された筐体に適用できる防水構造としては、図１に示す構造のものが知られている。図１は、従来のガスケットを用いた防水構造（合わせ部分の構造）を模式的に示す断面図である。例えば、スマートフォンにおいて電池収納部を閉塞する電池蓋の構成では、防水対象となる部材（例えば、上下筐体）のうちの一方の部材（ここでは下筐体）を樹脂成型品とし、この樹脂成形品において防水対象となる部位１に、二色成型やインサート成型によってガスケット３を融着保持した構造が知られている（図１Ａ参照）。これにより、ガスケット３に、防水対象となる他方（上筐体）の部位２を押圧しつつ、上下筐体間（図１Ａでは下筐体と上筐体との合わせた部位１、２間）の防水性を確保する。
【０００７】
また、図１Ｂ〜図１Ｄに示すように、防水対象となる上下筐体の部位のうち一方の部位１ａ、１ｂ、１ｃに、ガスケット３ａを配置する溝部４、４ａ、４ｂを設ける構成が知られている。防水対象となる一方の部位１ａ、１ｂ、１ｃの形状に対応して、防水対象となる他方の部位２ａ、２ｂ、２ｃが形成される。これらの構造では、一方の部位１ａ、１ｂ、１ｃの溝部４、４ａ、４ｂ内に配置したガスケット３ａを、他方の部位２ａ、２ｂ、２ｃで押し潰して挟み込むようにして、ガスケット３ａを配置箇所から脱落させることなく、一方の部位１ａ、１ｂ、１ｃと他方の部位２ａ、２ｂ、２ｃとを接合でき、これにより部位間の気密性の向上が図られている。
【先行技術文献】
【特許文献】
【０００８】
【特許文献１】特許第２７２３８３７号公報
【特許文献２】特許第５３００１４０号公報
【発明の概要】
【発明が解決しようとする課題】
【０００９】
しかしながら、従来のガスケットを用いた防水構造では、図１Ａに示すように、ガスケット（Ｏリング）を上下筐体の一方に一体成形した場合、経年劣化によりガスケットのみを交換しようとしても、ガスケットのみの交換を行うことができない。
【００１０】
また、図１Ｂに示すように、防水対象となる部位１ａ、２ａのうちの一方の部位１ａに、他方の部位２ａを合わせる方向とは異なる方向に開口したガスケット３ａ用の溝部４を形成する場合、溝部４を有する部位１ａは複雑な形状になり、この部位を成形する金型も複雑になり、コストがかかることになる。
【００１１】
また、図１Ｂに示す構成は勿論のこと、図１Ｃ及び図１Ｄに示すように、気密性を高めるために、防水対象となる部位１ａ、２ａの一方の部位１ａ（例えば、上下筐体の一方の筐体）の溝部４、４ａ、４ｂの幅を狭くした場合、溝部４、４ａ、４ｂにガスケット３ａが嵌め込みにくくなり組み立てが困難になる。また、ガスケット３、３ａは、一般的に、環状である等の閉じた形状の弾性変形可能な弾性体（例えば、ゴム成形品）である場合、公差、寸法ばらつきが大きい。これにより、箱状に形成される上下筐体の開口部を、図１Ｂ〜図１Ｄに示す構造とした際に、一方の筐体の開口部（一方の部位１ａ）の枠状の溝部４、４ａ、４ｂに嵌め込むときに、溝部４、４ａ、４ｂの周長に対して設定した寸法よりも短い場合は、必要以上に伸ばして嵌め込むので嵌めにくい。また、ガスケットの周長が枠状の溝部４、４ａ、４ｂに対して設定した寸法よりも長い場合は、余り（余長）が発生し、一層嵌め込みにくくなるという問題がある。
【００１２】
本発明はかかる点に鑑みてなされたものであり、特に、パルスオキシメータ、ホルタ心電計、医療用テレメータ等の携帯可能な可搬型の医療用電子機器に適用でき、小型化されても簡単な構成で防水性（防滴性）の向上を図ることができるとともに、ガスケットのみの交換を行うことができる医療用電子機器を提供することを目的とする。
【課題を解決するための手段】
【００１４】
本発明の医療用電子機器の一つの態様は、
環状のガスケット本体及び前記ガスケット本体に突設される係合片部を有するガスケットと、
箱状の第１筐体と、
前記第１筐体に前記ガスケットを介して組み付けられる箱状或いは蓋状の第２筐体と、
を有し、
前記第１筐体及び第２筐体の合わせ部のうち、一方の筐体の合わせ部に、内部空間を囲むように形成され、前記ガスケット本体が装着される環状の装着溝と、前記装着溝を形成する一対の対向壁とを有し、
前記一対の対向壁のうち、前記装着溝に対して前記一方の筐体の中心側である内側の壁部の一部は、前記内側の壁部の厚み方向で前記内側に凹む凹状壁部であり、
前記凹状壁部には、前記第１筐体及び前記第２筐体の合わせ方向に開口し、且つ、前記厚み方向に貫通し、前記係合片部が嵌合する凹状の嵌合溝部が形成され、
前記ガスケットは、前記係合片部を前記凹状壁部の前記嵌合溝部に内嵌させて、前記ガスケット本体の一部を前記凹状壁部に沿う形状で前記凹状壁部に隣接させつつ、前記装着溝に装着された前記ガスケット本体を位置決めして他方の筐体の合わせ部との間で圧接挟持させた状態で、前記第１筐体及び第２筐体間に介設され、
前記凹状壁部で囲まれる領域には、前記第１筐体及び第２筐体を止着する止着部材が取り付けられる、構成を採る。 
【発明の効果】
【００１５】
本発明によれば、在宅医療用電子機器に適用でき、小型化されても簡単な構成で防水性（防滴性）の向上を図ることができるとともに、ガスケットのみの交換を行う事ができる。
【図面の簡単な説明】
【００１６】
【図１】従来のガスケットを用いた防水構造を模式的に示す断面図
【図２】本発明に係る一実施の形態のガスケットの説明に供する医療用電子機器を示す外観図
【図３】同医療用電子機器の要部構成を示す断面図
【図４】本発明に係る一実施の形態のガスケットを装着した上ケースを裏側から見た図
【図５】図４に示すＡ部分の部分拡大図
【図６】本発明に係る一実施の形態のガスケットを上ケースから外した状態を示す斜視図
【図７】ガスケットの取り付け状態を示すネジ穴部分の断面図
【図８】壁部に沿って配置されるガスケットの変形例を模式的に示す平面図
【発明を実施するための形態】
【００１７】
以下、本発明の実施の形態について、図面を参照して詳細に説明する。
【００１８】
図２は、本発明に係る一実施の形態のガスケットの説明に供する医療用電子機器を示す外観図であり、図３は、本発明に係る一実施の形態のガスケットの説明に供する医療用電子機器の断面図である。
【００１９】
図２に示す医療用電子機器１０は、本発明に係る一実施の形態のガスケット（図３参照）を有する電子機器であり、ここでは、光によって非観血的に動脈血酸素飽和度（ＳｐＯ２）を計測するための医療用電子機器としてのパルスオキシメータ１０とする。医療用電子機器は、在宅医療用電子機器であってもよく、水回り設備周辺でも使用可能である。
【００２０】
パルスオキシメータ１０は、指先などの所定部位から光を用いて生体信号を取得するプローブ部と、取得された生体信号を処理して動脈血酸素飽和度の測定および記録を行う本体部と、バッテリとを有し、指先に装着可能に構成されている。
【００２１】
パルスオキシメータ１０は、クリップ状の形状を有しており、上部筐体２０、下部筐体３０を有し、これらは、図示しないヒンジ部により開閉可能に接続されている。
【００２２】
上部筐体２０と下部筐体３０とは、通常状態では、ヒンジ部を介して閉じる方向に付勢されている。これにより、パルスオキシメータ１０は、上部筐体２０と下部筐体３０との間の指挿入口１２に矢印Ｄ２の方向で挿入された被検者の指Ｍを、適度な力で挟み込むことができる。
【００２３】
上部筐体２０及び下部筐体３０によりプローブ部が構成される。プローブ部としては、図示しないが、装着部位に向けて例えば赤色光又は赤外光を発光する発光素子（例えば発光ダイオード）と、装着部位を透過し又は装着部位から反射した光を検出する受光素子（例えばフォトダイオード）とを有する。
【００２４】
また、パルスオキシメータ１０は、透過光又は反射光の検出信号を用いて動脈血酸素飽和度の計測処理を行う信号処理回路を内部に有し、この回路において、動脈血の脈拍に同期する光検出レベルの変動を赤色光の場合と赤外光の場合とで対比し、その比から動脈血酸素飽和度を算出する。
【００２５】
図３に示すように、上部筐体２０及び下部筐体３０は、中空であり、中空の内部に、それぞれプローブ部及び本体部を構成する各構成要素６１、６２を収容する。
【００２６】
上部筐体２０及び下部筐体３０は、それぞれガスケット５０、５０Ａを介して、内部を閉塞して気密性を高めて、防滴性を備えるように構成されている。
【００２７】
上部筐体２０は、上ケース２２と、下ケース２４との間にガスケット５０を挟み、上下ケース２２、２４でガスケット５０を圧接挟持して止着（ここではネジ６０によるネジ止め）することにより構成される。また、下部筐体３０は、上ケース３２と、下ケース３４との間に、ガスケット５０と同様に形成されるガスケット５０Ａを挟み、ガスケット５０Ａを圧接挟持して止着（ここではネジ６０によるネジ止め）することにより構成される。なお、下部筐体３０においてガスケット５０Ａを用いた構造は、上部筐体２０においてガスケット５０を用いた構造と同様である。よって、上部筐体２０の構造のみ説明し、下部筐体３０の構造については省略する。
【００２８】
図４は、本発明に係る一実施の形態のガスケット５０を装着した上ケース２２を裏側から見た図であり、図５は、図４に示すＡ部分の部分拡大図である。
【００２９】
図４に示す上ケース２２は箱状に形成され、下ケース２４（図２及び３参照）との合わせ部である開口縁部２２１には、ガスケット５０のガスケット本体５２が装着される溝部（装着溝）２２３が設けられている。なお、溝部２２３には、ガスケット本体５２が装着された状態で、下ケース２４側の合わせ部である開口縁部２４１に形成された矩形枠状の突条部２４６（図７参照）が挿入される。
【００３０】
開口縁部２２１は、上ケース２２において矩形状の表面部２２ａの外周から垂直に突出する周壁部２２ｂの突端部（パルスオキシメータ１０としては上部筐体２０の下端部に相当する）である。開口縁部２２１は、下ケース２４の開口縁部２４１（合わせ部に相当する、図７参照）とは対応した形状に構成される。上ケース２２と下ケース２４は、互いの合わせ部（開口縁部２２１と下ケース側の開口縁部）において、ガスケット５０を介して、中空の内部の気密性を向上させた状態で組み付けられる。
【００３１】
ここでガスケット５０について説明する。
図６は、本発明に係る一実施の形態のガスケット５０を上ケース２２から外した状態を示す斜視図である。
【００３２】
図４〜図５に示すガスケット５０は、環状のガスケット本体５２と、ガスケット本体５２に突設される嵌合片部（係合片部）５４と、掛止部（係合片部）５６と、を有する。
【００３３】
ガスケット５０は、弾性変形可能に形成されており、ガスケット本体５２は、上ケース２２と下ケース２４との合わせ部の間（ここでは、溝部２２３内）に配設され、上ケース２２の内部を囲むように構成される。
【００３４】
図７は、ガスケット５０の取り付け状態を示すネジ穴部分の断面図である。
【００３５】
図４〜図７に示すガスケット本体５２は、互いに組み付けられる上下ケース２２、２４の合わせ部のうち上ケース２２の合わせ部（開口縁部２２１であり詳細には周壁部２２ｂの突端部）に、合わせ方向に突設された壁部２２１ａに隣接して配置される。壁部２２１ａについては後述する。
【００３６】
ガスケット本体５２は、ここでは円形断面を有し、上ケース２２の開口縁に沿う円環状に形成されている。ガスケット本体５２は矩形枠状に形成されてもよい。ガスケット本体５２は、上下ケース２２、２４間で上下ケース２２、２４の合わせ部（具体的には、溝部２２３と突条部２４６）により開口部を囲む環状（ここでは矩形枠状）部分で全面的にほぼ均等に潰されて気密性を確保する。図７では、破線で潰れる前のガスケット本体５２を示す。これによりガスケット本体５２は、上下ケース２２、２４との間で圧接挟持された状態になる。
【００３７】
嵌合片部５４は、ガスケット本体５２において、上下ケース２２、２４により圧接挟持される方向に位置する部位とは異なる部位から、壁部２２１ａ側に突出して設けられている。嵌合片部５４は、壁部２２１ａの嵌合溝部（凹部）２２５に内嵌してガスケット本体５２を壁部２２１ａに隣接する位置に位置決めして支持する。
【００３８】
壁部２２１ａは、図４〜図７に示すように、溝部２２３を仕切る対向壁部のうち一方（内側）の対向壁部を構成する。壁部２２１ａは、上ケース２２の開口縁部２２１において、開口縁部２２１に沿って矩形枠状に設けられている。この壁部２２１ａと、当該壁部２２１ａと対向する壁部とによって、溝部２２３は、上ケース２２において開口部を囲む周壁部２２ｂの突端部に、当該開口部を囲むように形成されている。なお、この周壁部の突端部（開口縁部２２１）が、下ケース２４の矩形枠状の開口縁部と合わさる合わせ部を構成する。
【００３９】
開口縁部２２１には、下ケース２４を上ケース２２に組み付けて固定するためのねじ穴２７が形成されている。このネジ穴２７に挿入されたネジ６０（図３及び図７参照）により、上下ケース２２、２４同士は固定されている。
【００４０】
図４及び図５に示すように、ネジ穴２７近傍において溝部２２３を構成する壁部２２１ａの一部は、開口縁部２２１において、ネジ穴２７を避けるように上ケース２２の内側に向かって壁の厚み方向に後退させて凹状に形成された湾曲壁部２２１１である。これにより、壁部２２１ａは、開口縁部２２１において、湾曲壁部２２１１によって、ネジ穴２７を囲む部分（ネジ穴形成部分）をアルコーブ状に構成している。
【００４１】
これにより、ネジ６０を介して上下ケース２２、２４を組み付ける場合でも、上下ケース２２、２４の固定する箇所（ネジ穴形成部分）は、ガスケット５０の外周に位置することになるので、ガスケット５０内側の気密性を確保できる。
【００４２】
また、壁部２２１ａにおいて凹状に湾曲する湾曲壁部２２１１には、合わせ方向（下ケース２４方向）に開口し、且つ、壁部の厚み方向に貫通する凹状の嵌合溝部（凹部）２２５が形成されている。
【００４３】
嵌合溝部２２５には、ガスケット５０の嵌合片部５４が弾性変形しつつ挿入されている。これにより、ガスケット本体５２は、溝部２２３内で壁部２２１ａに沿った位置に位置するように支持される。また、嵌合溝部２２５内に配置される嵌合片部５４は、壁部２２１ａを厚み方向で挿通し、嵌合片部５４の先端に形成された掛止部５６で壁部２２１ａ（湾曲壁部２２１１）の裏面に掛止している。これにより、掛止部５６は、嵌合片部５４がガスケット本体５２側、つまり、壁部２２１ａの外側に抜けないようにする抜け止めとして機能する。掛止部５６は、嵌合片部５４とともに、壁部２１１ａに係合することでガスケット本体５２を配置位置（壁部２１１ａに隣接する配置位置）で位置決めして支持する係合片部を構成する。また、掛止部５６に凹部を設けて、凹部に治具を引っ掛けて、掛止部５６を壁部２２１ａの裏面に位置させる際にその作業が容易になる。また、掛止部５６には貫通孔が形成されていないので、その成形を行いやすい。
【００４４】
上部筐体２０の組み立ては、先ず、上部筐体２０を構成する上下ケース２２、２４の内部にそれぞれ、プローブ部及び本体部の構成要素６１、６２を適宜組み付ける。
【００４５】
一方、上ケース２２の溝部２２３にガスケット５０を装着する。このとき、ガスケット本体５２を溝部２２３内に嵌め込んで配置して、嵌合片部５４を壁部２２１ａの嵌合溝部２２５内に押し込んで嵌合させつつ、掛止部５６を壁部２２１ａの裏面（上ケース２２の内側の面）側に突出するように位置させる。嵌合片部５４の嵌合溝部２２５内への嵌合は、ガスケット本体５２を溝部２２３に嵌め込み、掛止部５６を、壁部２２１ａの裏面側に引っ張って、嵌合片部５４を嵌合溝部２２５上に位置させて押し込むことで行ってよい。
【００４６】
この状態では、嵌合片部５４が弾性変形して嵌合片部５４の延在方向に収縮しようとしても、掛止部５６が壁部２２１ａの裏面に掛止される。これにより、嵌合片部５４が、嵌合溝部２２５から抜けないように、つまり、ガスケット本体５２側（壁部２２１ａの外側）に抜けないように規制される。また、掛止部５６で壁部２２１ａの裏面に掛止された嵌合片部５４は、弾性変形することにより、ガスケット本体５２を壁部２２１ａの内側に引っ張るガスケット本体５２を、溝部２２３内で溝部２２３の対向壁部の一方を構成する壁部２２１ａに沿って位置するように支持する。
【００４７】
これにより、ガスケット５０は、上ケース２２の周壁部２２ｂの突端部（開口縁部２２１）において、溝部２２３内に保持された状態になる。そして、上ケース２２に下ケース２４を組み付ける。このとき、ガスケット５０は、嵌合片部５４と嵌合溝部２２５と嵌合によって、配置位置に保持された状態となっている。よって、溝部２２３から脱落することなく、ガスケット５０のガスケット本体５２を上ケース２２と下ケース２４により圧接挟持させることができる。すなわち、組立時において、ガスケット５０が配置位置から脱落しないように、配置位置にまず載置した状態で組み立てるといった組み立ての際の方向が制約されることがない。そして、ネジ穴２７にネジ６０を挿入して締め付けることで、上下ケース２２、２４間でガスケット本体５２の全体を、上下ケース２２、２４の合わせ方向で圧接して、全体的に均一に潰して変形させつつ、上下ケース２２、２４同士を組み付けることができる。ガスケット５０Ａもガスケット５０と同様に下部筐体３０を構成する下ケース２４及び上ケース２２間に介装されて上下ケース２２、２４を密閉した状態で組み付けることができる。
【００４８】
このように、本実施の形態のガスケット５０は、嵌合片部５４を介して、ガスケット本体５２が溝部２２３内で所定の位置で保持されるため、ガスケット５０を圧接挟持させた状態で上部筐体２０を構成する上下ケース２２、２４の組み付けを容易に行うことができる。この構成では、ガスケット５０を上下ケース２２、２４の一方に２色成形で一体化させる必要がないため、２色成形する際の上下ケース２２、２４とガスケット５０の相性の良い材料を選択する必要がない。また、個別成形よりもコストがかかる２色成形のための金型を用意する必要がない。
【００４９】
また、上部筐体２０において、ネジ穴２７近傍では、ネジ穴２７よりも上ケース２２の内側に位置する壁部２２１ａの一部を内側に凹ませることで側方に開口する凹状（湾曲壁部２２１１に相当）に形成している。
【００５０】
このため、その機能上、上下ケース２２、２４の両部材間に渡って配置されるネジ穴２７から、ガスケット５０で気密した上下ケース２２、２４の内部への水の浸入を防止できる。
【００５１】
このように、本実施の形態によれば、医療用電子機器として、小型化されても簡単な構成で簡易な防水性（防滴性）の向上を図ることができるとともに、ガスケット５０、５０Ａのみの交換を行う事ができる。
【００５２】
また、上ケース２２において開口の周囲に位置する溝部２２３にガスケット本体５２を配置する際において、ガスケットが閉じた形状であれば、従来構成では、成形の際の公差やバラツキなどによって、ガスケット本体５２の寸法が対応せず、必要以上に引っ張ったり、また，余長分を無理に押し込んだりして、配置位置の形状を合わせて嵌め込む作業が必要とあり嵌め込みが困難であった。特に、余長が発生する場合、本実施の形態では、周部に沿って形成される溝部２２３対向壁部のうち内側壁部の一部に、凹状部分（湾曲壁部２２１１）を形成しているので、この凹状の壁部である湾曲壁部２２１１に沿って、ガスケット本体５２を配置できる。これにより、ガスケット５０における枠状又は環状のガスケット本体５２の余剰分を吸収でき、好適に装着できる。また、凹状部分である湾曲壁部２２１１は、ネジ穴２７を避けるようにして、内側に凹むように形成されているので、ネジ６０によりガスケット５０を挟んで上下ケース２２、２４を固定する場合でも、ネジ穴２７を介して上部筐体２０の内部に水が浸入することがない。
【００５３】
なお、本実施の形態では、ガスケット５０における掛止部５６は、ネジ穴２７回りの２つの嵌合溝部２２５に嵌合する２つの嵌合片部５４の先端にそれぞれ形成された構成としたが、これに限らず、壁部２２１ａに掛止できればどのように形成されてもよい。例えば、掛止部５６自体を嵌合溝部２２５の幅よりも大きな外形を有する角柱体に形成してもよい。また、図５に示す２つの掛止部５６同士を繋ぎ、この繋いだ部分で、湾曲壁部２２１１における嵌合溝部２２５間の円弧状部分の裏面側に掛止する構成としてもよい。
【００５４】
また、ガスケット５０は、防水箇所を組み立てる際に、防水箇所となる合わせ部の一方に形成された壁部２２１ａに隣接して位置する様に、壁部２２１ａに係合する構成であればどのように構成されてよい。図８は、壁部２２１ａに沿って配置されるガスケットの変形例を模式的に示す平面図である。
図８に示すガスケット５０Ａでは、ガスケット５０と同様のガスケット本体５２を有し、係合片部の構成のみ異なる。よって、以下では、ガスケット５０の構成要素と同様の構成要素については同符号同名称を付して説明は省略する。
【００５５】
ガスケット５０Ａは、ガスケット本体５２と、ガスケット本体５２に一体に形成され、且つ、ガスケット５２が圧接挟持される方向に位置する部位とは異なる部位から突出する弾性片部５４Ａと、弾性片部５４Ａの突端に形成された掛止部（頭部）５６Ａとを有する。
弾性片部５４Ａは、ガスケット本体５２から壁部２２１ａ側に突出して設けられており、壁部２２１ａの凹部に位置する。
弾性片部５４Ａの突出方向の長さＬは、配置される嵌合溝部（凹部）２２５を有する壁部２１１ａの厚みＴよりも短い。
弾性片部５４Ａは、弾性変形して掛止部５６Ａを壁部２２１ａの嵌合溝部（凹部）２２５において壁部２２１ａの裏面の開口縁に掛止させる。なお、ガスケット本体５２、掛止部５６Ａも弾性片部（弾性変形部）５４Ａとともにガスケット５０Ａとして一体成形されているので、いずれも弾性変形可能となっている。
【００５６】
掛止部５６Ａは、壁部２２１ａの裏面（上ケース２２の内側の面）側に突出して配置され、壁部２２１ａの裏面の開口幅よりも大きく形成されている。掛止部５６Ａは、弾性片部５４Ａの弾性変形により、壁部２２１ａの裏面に掛止しつつ壁部２２１ａに取り付けられる。すなわち、掛止部５６Ａと、ガスケット本体５２とで壁２１１ａを挟持した状態となり、これにより、掛止部５６Ａ及び弾性変形部５４Ａは、ガスケット本体５２を、壁部２１１ａに沿った配置箇所（ここでは、圧接挟持される箇所であり、具体的には、嵌合溝部（凹部）２２５内であり、突条部２４６との間）に圧接される位置）に位置決めした状態で支持する。
掛止部５６Ａは、弾性片部５４Ａとともに、ガスケット本体５２を壁部２２１ａに隣接する配置位置で位置決めして支持する係合片部を構成する。このガスケット５０Ａによれば、ガスケット５０と同様の効果を得ることができ、更に、ガスケット５０の嵌合片部５４に相当する伸縮片部５４Ａを、凹部２２５内に内嵌させる構成としていない。これにより、ガスケット本体５２の位置決めのための嵌合強度を確保するために、凹部２２５と、この凹部２２５内の部材との嵌合を確保する必要が無く、ガスケット５０よりも搭載スペースを小さくできる。
【００５７】
本実施の形態では、医療用電子機器として、パルスオキシメータを適用して説明したが、これに限らず、可搬型の医療用電子機器であれば、どのような機器に適用しても良い。つまり、ホルタ心電計、医療用テレメータ等の患者が携帯可能な医療用電子機器は勿論のこと、医療従事者が携帯する機器に適用してもよい。
【００５８】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【００５９】
本発明に係る医療用電子機器は、パルスオキシメータ、ホルタ心電計，医療用テレメータ等の携帯可能な可搬型の医療用電子機器に適用して、小型化されても簡単な構成で防水性（防滴性）の向上を図ることができるとともに、ガスケットのみの交換を行う事ができる。
【符号の説明】
【００６０】
１０  パルスオキシメータ（医療用電子機器）
１２  指挿入口
２０  上部筐体
２２、３２  上ケース
２２ａ  表面部
２２ｂ  周壁部
２４、３４  下ケース
２７  ネジ穴
３０  下部筐体
５０、５０Ａ  ガスケット
５２  ガスケット本体
５４  嵌合片部（嵌合片）
５４Ａ  弾性片部（弾性変形部）
５６、５６Ａ  掛止部
６０  ネジ
２２１、２４１  開口縁部（合わせ部）
２２１ａ  壁部
２２３  溝部（装着溝）
２２５  嵌合溝部（凹部）
２４６  突条部
２２１１  湾曲壁部
【図１】
0006613036.tif 000002
【図２】
0006613036.tif 000003
【図３】
0006613036.tif 000004
【図４】
0006613036.tif 000005
【図５】
0006613036.tif 000006
【図６】
0006613036.tif 000007
【図７】
0006613036.tif 000008
【図８】
0006613036.tif 000009